(57)【要約】      （修正有）【課題】煩わしさを感じることなく携帯電話を簡単に出し入れできて該携帯電話の抜け落ちや飛び出しを確実に防止し得る携帯電話用ポケットを提供する。【解決手段】携帯電話５を収め得る収容空間６を備え且つ該収容空間６の上端にポケット口７を開口したワイシャツ１の胸ポケット２（携帯電話用ポケット）に関し、パッチポケット形式の胸ポケット２を形成するための別生地４における上側部分の裏面に、前記収容空間６に収めた携帯電話５の上部に対し上方から被さるよう内側に折り返す被覆片部８を設け、該被覆片部８の幅方向両側部を縫い付けて前記携帯電話５の上部に対する被覆状態が維持されるように構成する。【選択図】図１
0003196920.tif 000002
【実用新案登録請求の範囲】
【請求項１】
携帯電話を収め得る収容空間を備え且つ該収容空間の上端にポケット口を開口した携帯電話用ポケットであって、前記ポケット口を形成している外側の生地の裏面に、前記収容空間に収めた携帯電話の上部に対し上方から被さるよう内側に折り返す被覆片部を設け、該被覆片部の幅方向両側部を縫い付けて前記携帯電話の上部に対する被覆状態が維持されるように構成したことを特徴とする携帯電話用ポケット。
【請求項２】
被覆片部に該被覆片部の幅方向中央部を指先で引き上げ得るよう摘まみ部を設けたことを特徴とする請求項１に記載の携帯電話用ポケット。
【請求項３】
被覆片部を横向きの折れ線でつづら折りにして山折れ部を摘まみ部としたことを特徴とする請求項２に記載の携帯電話用ポケット。
【請求項４】
被覆片部の幅方向中央部に縫い付けたループを摘まみ部としたことを特徴とする請求項２に記載の携帯電話用ポケット。
【請求項５】
被覆片部にイヤホンコードを外側に引き出すための抜き出し穴を形成したことを特徴とする請求項１、２、３又は４に記載の携帯電話用ポケット。
【請求項６】
収容空間の底部にイヤホンコードを外側に引き出すための抜き出し穴を形成したことを特徴とする請求項１、２、３又は４に記載の携帯電話用ポケット。
【請求項７】
被覆片部の上部に携帯電話の厚みに対応し得るようマチを付したことを特徴とする請求項１、２、３、４、５又は６に記載の携帯電話用ポケット。
【請求項８】
被覆片部の下部を幅方向中央部で相互に重なり合う一対の襞部により構成したことを特徴とする請求項１、２、３、４、５、６又は７に記載の携帯電話用ポケット。
【請求項９】
ポケット口に上方から被さるフラップを設け、該フラップの幅方向両側部を縫い付けて前記ポケット口に対する被覆状態が維持されるように構成したことを特徴とする請求項１、２、３、４、５、６、７又は８に記載の携帯電話用ポケット。
【考案の詳細な説明】
【技術分野】
【０００１】
本考案は、携帯電話用ポケットに関するものである。
【背景技術】
【０００２】
近年、外出先での通信手段として携帯電話が広く普及してきているが、携帯電話を携帯するのに際し、鞄などに入れて持ち運ぶようにすると、着信音が聞き取りにくくなったり、着信時に迅速な応対ができなくなるといった不便さがある。
【０００３】
ビジネスマンなどのように背広を着用している場合には、上着の内ポケットに携帯電話を入れて携帯する場合が多いが、上着は外出途中で脱いだり着たりする機会が多いため、携帯電話を落とし易いという不具合があり、携帯電話を破損したり、気付かないうちに落としてなくしてしまったりする懸念がある。
【０００４】
一方、ワイシャツの胸ポケットに携帯電話を入れて携帯する場合には、上着のように外出途中で脱いだりする機会が殆どないため、気付かないうちに落としてなくしてしまう心配は少ないものの、体をかがめるような姿勢をとったり、激しい動きをしたりしただけで簡単に携帯電話が外へ飛び出してしまうことがある。
【０００５】
このような上着の内ポケットからの抜け落ちや、ワイシャツの胸ポケットからの飛び出しを防ぐためには、ポケット口にフラップ（雨蓋）を付けて該フラップをボタン留めできるようにして前記ポケット口を封止することが考えられる。
【考案の概要】
【考案が解決しようとする課題】
【０００６】
しかしながら、このようなフラップ付きのポケットでは、携帯電話の出し入れにボタンの留め外しを伴うことになって煩わしさがあるという問題があり、また、特にワイシャツの胸ポケットの如き外観に現れるポケットでは、フラップ付きのポケットが外観的な印象を大きく変えてしまうため、フラップ付きのポケットのデザインを好まない人から敬遠されてしまうという問題もあった。
【０００７】
本考案は、上述の実情に鑑みてなしたもので、煩わしさを感じることなく携帯電話を簡単に出し入れできて該携帯電話の抜け落ちや飛び出しを確実に防止し得る携帯電話用ポケットを外観的な印象を大きく変えずに実現することを目的としている。
【課題を解決するための手段】
【０００８】
本考案は、携帯電話を収め得る収容空間を備え且つ該収容空間の上端にポケット口を開口した携帯電話用ポケットであって、前記ポケット口を形成している外側の生地の裏面に、前記収容空間に収めた携帯電話の上部に対し上方から被さる被覆片部を設け、該被覆片部の幅方向両側部を縫い付けて前記携帯電話の上部に対する被覆状態が維持されるように構成したことを特徴とするものである。
【０００９】
而して、このようにした場合、ポケット口から収容空間に携帯電話を収めて該携帯電話の上部に対し被覆片部を上方から被せると、該被覆片部により携帯電話の上部が押さえ込まれ、該携帯電話の抜け落ちや飛び出しが確実に防止されることになる。
【００１０】
即ち、背広の上着の内ポケットに適用した場合には、上着を脱いだり着たりしても、携帯電話が抜け落ちてしまうことがなくなり、ワイシャツの胸ポケットに適用した場合には、体をかがめるような姿勢をとったり、激しい動きをしたりしても、携帯電話が外へ飛び出してしまうことがなくなる。
【００１１】
ここで、携帯電話の上部に対し被覆片部を被せたり外したりするにあたっては、該被覆片部の幅方向中央部付近を指先で引き上げて簡単に行うことが可能であり、一方、前記被覆片部を携帯電話の上部に被せた被覆状態にあっては、前記被覆片部の幅方向両側部が縫い付けられていることにより前記被覆状態が良好に維持される。
【００１２】
尚、前記携帯電話の上部を押さえ込む被覆片部は、ポケット口を形成している外側の生地の裏面に隠れて外観上は見えないようになっているので、ポケットのデザインの外観的な印象を大きく変えることがない。
【００１３】
また、本考案においては、被覆片部に該被覆片部の幅方向中央部を指先で引き上げ得るよう摘まみ部を設けることが好ましく、被覆片部を横向きの折れ線でつづら折りにして山折れ部を摘まみ部としたり、被覆片部の幅方向中央部に縫い付けたループを摘まみ部としたりすることが可能である。
【００１４】
このようにすれば、摘まみ部を利用して被覆片部の幅方向中央部を指先で引き上げ易くなり、携帯電話の上部に対し被覆片部を被せたり外したりする操作をより簡単に行うことが可能となる。
【００１５】
更に、本考案においては、被覆片部にイヤホンコードを外側に引き出すための抜き出し穴を形成したり、収容空間の底部にイヤホンコードを外側に引き出すための抜き出し穴を形成したりすることが可能である。
【００１６】
このようにすれば、携帯電話を収容空間に収めたままイヤホンコードを抜き出し穴から外側に引き出して音楽などを楽しむことが可能となり、イヤホンジャックが携帯電話の上部にあれば、被覆片部の抜き出し穴からイヤホンコードを外側に引き出せば良く、イヤホンジャックが携帯電話の下部にあれば、収容空間の底部の抜き出し穴からイヤホンコードを外側に引き出せば良い。
【００１７】
また、本考案においては、被覆片部の上部に携帯電話の厚みに対応し得るようマチを付すことが可能であり、このようにすれば、厚みのある携帯電話の上部に被覆片部を被せることで引きつれが生じて外観が悪くなるような不具合が起こらなくなる。
【００１８】
更に、本考案においては、被覆片部の下部を幅方向中央部で相互に重なり合う一対の襞部により構成しても良く、このように左右に分割された襞部により被覆片部の下部を構成すれば、前記各襞部の相互に重なり合っている箇所を個別にめくり上げて簡単に携帯電話上部の隅部に被せたり外したりすることが可能となる。
【００１９】
また、本考案においては、ポケット口に上方から被さるフラップを設け、該フラップの幅方向両側部を縫い付けて前記ポケット口に対する被覆状態が維持されるように構成することも可能である。
【００２０】
このようにすれば、フラップの幅方向中央部付近をめくり上げてポケット口から携帯電話を収容空間に収め、その後は前記フラップにより前記ポケット口を被覆状態に維持することが可能となるので、より確実に携帯電話の抜け落ちや飛び出しを防止することが可能となる。
【００２１】
この場合、前記フラップが外観に現れてしまうことになるが、該フラップにはボタン留めの必要がないことからボタンやボタンホールが不要であり、短冊状の別生地をポケット口に当てて縫い付けるだけで済むので、それほど外観的に目立たせないように取り付けることが可能である。
【考案の効果】
【００２２】
上記した本考案の携帯電話用ポケットによれば、下記の如き種々の優れた効果を奏し得る。
【００２３】
（Ｉ）本考案の請求項１に記載の考案によれば、煩わしさを感じることなく携帯電話を簡単に出し入れできて該携帯電話の抜け落ちや飛び出しを確実に防止し得る携帯電話用ポケットを外観的な印象を大きく変えずに実現することができる。
【００２４】
（ＩＩ）本考案の請求項２、３、４に記載の考案によれば、摘まみ部を利用することで被覆片部の幅方向中央部を指先で引き上げ易くすることができ、携帯電話の上部に対し被覆片部を被せたり外したりする操作をより簡単に行うことができる。
【００２５】
（ＩＩＩ）本考案の請求項５、６に記載の考案によれば、携帯電話が収容空間に収められていても、そのままイヤホンコードを抜き出し穴から外側に引き出して音楽などを楽しむことができる。
【００２６】
（ＩＶ）本考案の請求項７に記載の考案によれば、被覆片部の上部に携帯電話の厚みに対応し得るようマチが付されているので、厚みのある携帯電話の上部に被覆片部を被せることで引きつれが生じて外観が悪くなるような不具合を未然に回避することができる。
【００２７】
（Ｖ）本考案の請求項８に記載の考案によれば、被覆片部の下部を幅方向中央部で相互に重なり合う一対の襞部により構成しているので、該各襞部の相互に重なり合っている箇所を個別にめくり上げて簡単に携帯電話上部の隅部に被せたり外したりすることができる。
【００２８】
（ＶＩ）本考案の請求項９に記載の考案によれば、フラップの幅方向中央部付近をめくり上げてポケット口から携帯電話を収容空間に収め、その後は前記フラップにより前記ポケット口を被覆状態に維持することができるので、より確実に携帯電話の抜け落ちや飛び出しを防止することができる。
【図面の簡単な説明】
【００２９】
【図１】本考案を実施する形態の一例を示す概略図である。
【図２】図１の胸ポケットの詳細を示す正面図である。
【図３】図２のＩＩＩ−ＩＩＩ矢視の断面図である。
【図４】図３の被覆片部の詳細を示す斜視図である。
【図５】図４の必要箇所にコバステッチを入れた状態を示す斜視図である。
【図６】本考案の別の形態例を示す正面図である。
【図７】本考案の更に別の形態例を示す正面図である。
【考案を実施するための形態】
【００３０】
以下本考案の実施の形態を図面を参照しつつ説明する。
【００３１】
図１は本考案の携帯電話用ポケットを実施する形態の一例を示すもので、本形態例においては、ワイシャツ１の胸ポケット２（携帯電話用ポケット）として適用した場合を示しており、ワイシャツ１の前身頃３に別生地４を逢着することで携帯電話５を収め得る収容空間６を画成し且つ該収容空間６の上端にポケット口７を開口させたパッチポケット形式の胸ポケット２としている。
【００３２】
そして、図２及び図３に詳細を示す如く、前記別生地４（ポケット口７を形成している外側の生地）におけるポケット口７を形成している上側部分の裏面に、前記収容空間６に収めた携帯電話５の上部に対し上方から被さる被覆片部８を設け、該被覆片部８の幅方向両側部を縫い付けて前記携帯電話５の上部に対する被覆状態が維持されるようにしている。
【００３３】
ここで、図４に示す如く、前記被覆片部８は、前記別生地４に胸ポケット２として覆うべき範囲を超えて延長形成された延長部９を内側へ折り込むことにより形成されており、しかも、その内側への折り込みに際し、前記被覆片部８の下部を横向きの折れ線でつづら折りにして山折れ部を作り、この山折れ部を前記被覆片部８の幅方向中央部を指先で引き上げるための摘まみ部１０としている。
【００３４】
また、ポケット口７の上縁部に当たる折り返し部分を谷折りにして携帯電話５の厚みに対応し得るマチ１１が形成されていると共に、このマチ１１の幅方向中央部の谷部には、収容空間６に収めた携帯電話５に挿したイヤホンコード１２を外側に引き出すための抜き出し穴１３（図２参照）が開口されている。
【００３５】
そして、このように前記別生地４の延長部９を折り込むことで被覆片部８、摘まみ部１０、マチ１１が形作られた状態として、図５に示す如く必要箇所にコバステッチを入れて夫々の折り込み構造を固定し、最終的には、図２に示す如く、前記別生地４のポケット口７を除いた周縁部分を延長部９と一緒にコバステッチでワイシャツ１の前身頃３に対し縫い付けるようにしている。この際、特に本形態例においては、前記別生地４における収容空間６の底部に当たる一部にコバステッチを入れない部分を残し、ここをイヤホンコード１２を外側に引き出すための抜き出し穴１４（図２参照）としている。
【００３６】
而して、このように胸ポケット２を構成した場合、ポケット口７から収容空間６に携帯電話５を収めて該携帯電話５の上部に対し被覆片部８を上方から被せると、該被覆片部８により携帯電話５の上部が押さえ込まれ、該携帯電話５の抜け落ちや飛び出しが確実に防止されることになり、体をかがめるような姿勢をとったり、激しい動きをしたりしても、携帯電話５が外へ飛び出してしまうことがなくなる。
【００３７】
ここで、携帯電話５の上部に対し被覆片部８を被せたり外したりするにあたっては、該被覆片部８の摘まみ部１０を指先で引き上げて簡単に行うことが可能であり、一方、前記被覆片部８を携帯電話５の上部に被せた被覆状態にあっては、前記被覆片部８の幅方向両側部が縫い付けられていることにより前記被覆状態が良好に維持されることになる。
【００３８】
尚、前記携帯電話５の上部を押さえ込む被覆片部８は、別生地４の裏面に隠れて外観上は見えないようになっているので、胸ポケット２のデザインの外観的な印象を大きく変えることがない。
【００３９】
従って、上記形態例によれば、煩わしさを感じることなく携帯電話５を簡単に出し入れできて該携帯電話５の飛び出しを確実に防止し得る胸ポケット２を外観的な印象を大きく変えずに実現することができ、特に本形態例の場合には、摘まみ部１０を利用することで被覆片部８の幅方向中央部を指先で引き上げ易くすることもできるので、携帯電話５の上部に対し被覆片部８を被せたり外したりする操作をより簡単に行うことができる。
【００４０】
更に、本形態例では、被覆片部８のマチ１１の谷部と収容空間６の底部とに、イヤホンコード１２を外側に引き出すための抜き出し穴１３、１４を夫々形成しているので、イヤホンジャックが携帯電話５の上部にあれば、上側の抜き出し穴１３からイヤホンコード１２を外側に引き出し、イヤホンジャックが携帯電話５の下部にあれば、下側の抜き出し穴１４からイヤホンコード１２を外側に引き出すことができ、携帯電話５が収容空間６に収められていても、そのままイヤホンコード１２を外側に引き出して音楽などを楽しむことができる。
【００４１】
また、被覆片部８の上部には、携帯電話５の厚みに対応し得るようマチ１１が付されているので、厚みのある携帯電話５の上部に被覆片部８を被せることで引きつれが生じて外観が悪くなるような不具合も未然に回避することができる。
【００４２】
図６は本考案の別の形態例を示すもので、被覆片部８の下部を幅方向中央部で相互に重なり合う一対の襞部１５（別生地で作ったもの）により構成したものであり、このように左右に分割された襞部１５により被覆片部８の下部を構成すれば、前記各襞部１５の相互に重なり合っている箇所を個別にめくり上げて簡単に携帯電話５上部の隅部に被せたり外したりすることができる。
【００４３】
また、この図６の形態例の場合には、各襞部１５の相互に重なり合っている箇所（被覆片部８の幅方向中央部に相当）の夫々にループを縫い付けて該ループを摘まみ部１０’としているが、このようなループによる摘まみ部１０’を利用しても被覆片部８の幅方向中央部を指先で引き上げ易くすることができる。
【００４４】
また、図７は本考案の更に別の形態例を示すもので、ポケット口７に上方から被さるフラップ１６を設け、該フラップ１６の幅方向両側部を縫い付けて前記ポケット口７に対する被覆状態が維持されるようにしたものであり、このようにすれば、フラップ１６の幅方向中央部付近をめくり上げてポケット口７から携帯電話５を収容空間６に収め、その後は前記フラップ１６により前記ポケット口７を被覆状態に維持することが可能となるので、より確実に携帯電話５の抜け落ちや飛び出しを防止することができる。
【００４５】
この場合、前記フラップ１６が外観に現れてしまうことになるが、該フラップ１６にはボタン留めの必要がないことからボタンやボタンホールが不要であり、短冊状の別生地をポケット口７に当てて縫い付けるだけで済むので、それほど外観的に目立たせないように取り付けることができる。
【００４６】
尚、本考案の携帯電話用ポケットは、上述の形態例にのみ限定されるものではなく、図示例ではパッチポケット形式でワイシャツの胸ポケットとして適用した例を示しているが、背広の上着等における切りポケット形式の内ポケットにも適用することが可能であり、カジュアルシャツやブルゾン等における様々な形式のポケットにも同様に適用することが可能であること、その他、本考案の要旨を逸脱しない範囲内において種々変更を加え得ることは勿論である。
【符号の説明】
【００４７】
２      胸ポケット（携帯電話用ポケット）
４      別生地（ポケット口を形成している外側の生地）
５      携帯電話
６      収容空間
７      ポケット口
８      被覆片部
１０    摘まみ部
１０’  摘まみ部
１１    マチ
１２    イヤホンコード
１３    抜き出し穴
１４    抜き出し穴
１５    襞部
１６    フラップ
【図１】
0003196920.tif 000003
【図２】
0003196920.tif 000004
【図３】
0003196920.tif 000005
【図４】
0003196920.tif 000006
【図５】
0003196920.tif 000007
【図６】
0003196920.tif 000008
【図７】
0003196920.tif 000009